(57)【要約】      （修正有）【課題】簡便な構造でありながら、肛門内の粘膜を挟み込むことのない安全性の高い新規の肛門鏡を提供する。【解決手段】断面が弧状の一対の長尺片部２が各々凹面部３において対向配置され、一方の長縁部４ａにおいて相互に蝶番部５を介して連結され、蝶番部５によって対向する長尺片部２の他方の長縁部４ｂが接近または離間が可能とされているとともに、各々の長尺片部２は、長尺方向の先端部に向かって先細りとされ、長縁部４ｂが接近する時には、対向する長尺片部２によって先端部が略閉止状態となり、長尺方向の他方の端部には、接近または離間を自在に操作可能とするハンドル部６が設けられている肛門鏡１であって、蝶番部５では、断面Ｈ字状の溝部を有し、相互に連結される長尺片部２の対向する長縁部４ａの全長にわたる長尺の樹脂製蝶番５が配設され、蝶番５の断面Ｈ字状の溝部において長縁部４ａが接合されている。【選択図】図２
2017086547.tif 000002
【特許請求の範囲】
【請求項１】
断面が弧状の一対の長尺片部が各々凹面部において対向配置され、一方の長縁部において相互に蝶番部を介して連結され、該蝶番部によって対向する長尺片部の他方の長縁部が接近または離間が可能とされているとともに、
各々の長尺片部は、長尺方向の先端部に向かって先細りとされ、前記長縁部が接近する時には、対向する長尺片部によって前記先端部が略閉止状態となり、長尺方向の他方の端部には、前記の接近または離間を自在に操作可能とするハンドル部が設けられている肛門鏡であって、
前記蝶番部では、断面Ｈ字状の溝部を有し、相互に連結される長尺片部の対向する長縁部の全長にわたる長尺の樹脂製蝶番が配設され、該蝶番の断面Ｈ字状の溝部において前記長縁部が接合されていることを特徴とする肛門鏡。
【請求項２】
前記樹脂製蝶番は、シリコン樹脂製であることを特徴とする請求項１に記載の肛門鏡。
【請求項３】
前記接合は、接着剤による接着であることを特徴とする請求項１に記載の肛門鏡。
【発明の詳細な説明】
【技術分野】
【０００１】
本発明は、痔の治療等の際に、肛門に挿入して患部の観察等に使用する肛門鏡に関するものである。
【背景技術】
【０００２】
肛門鏡は、痔の治療等の際に患者の肛門に挿入して、患部の観察等に使用する医療器具である。図７および図８に示すように、従来の肛門鏡７１では、断面が弧状の一対の長尺片部７２が各々凹面部７３において対向配置され、一方の長縁部７４ａにおいて相互に蝶番部７５を介して連結され、該蝶番部７５によって対向する長尺片部７２の他方の長縁部７４ｂが接近または離間が可能とされている。また、従来の肛門鏡７１においては、各々の長尺片部７２は、長尺方向の先端部７２ａに向かって先細りとされ、長縁部７４ｂが接近する時には、対向する長尺片部７２によって先端部７２ａが略閉止状態となり、長尺方向の他方の端部７２ｂには、前記の接近または離間を自在に操作可能とするハンドル部７６が設けられている。
【０００３】
このような構造を具備する肛門鏡７１においては、各々の長尺片部７２の先端部７２ａが丸みを帯びており、図７の状態の略閉止状態の長尺片部７２を患者の肛門にスムーズに挿入することができ、しかも挿入後に図７の状態のハンドル部７６を図中の矢印αの方向へ操作することによって、長縁部７４ｂを図８のように離間させて、対向する長尺片部７２を略開放状態とし、患者の肛門内部の観察を容易とすることができる。
【０００４】
このような筒状体を長尺方向で開閉自在とする肛門鏡については、これまでにも様々な改良が試みられており、例えば、患者の肛門内で略開放状態とした対向する長尺片部が、患者の肛門括約筋によって閉止されることを防止するための改良が提案されている（特許文献１参照）。
【０００５】
特許文献１に記載された肛門鏡においては、先端部が略閉止状態の長尺片部を患者の肛門に挿入した後に、ハンドル部を操作して、長尺片部の長縁部を離間させて、略開放状態とする。続いて、一方のハンドル部の下端部近傍に設けられたストッパーを、もう一方のハンドル部の下端部近傍に設けられた溝に係止することにより、使用者が一対のハンドル部を把持し続けなくとも、長尺片部の略開放状態を維持することができるとされている。
【０００６】
しかしながら、図８に示したように、従来の肛門鏡７１においては、長尺片部７２が各々凹面部７３において対向配置され、一方の長縁部７４ａにおいて相互に蝶番部７５を介して連結されている。このような構造の蝶番部７５を備えているため、従来の肛門鏡７１では、ハンドル部７６の操作によって長尺片部７２の長縁部７４ｂが接近または離間する際に、蝶番部７５が配置された長縁部７４ａの対向隙間に肛門内の粘膜を挟み込んでしまうという問題があった。
【０００７】
特許文献１に記載された肛門鏡７１においても、長尺片部７２の長縁部７４ｂが接近または離間する際に、蝶番部７５の近傍をはじめとする長縁部７４ａ部分に肛門内の粘膜を挟み込んでしまう問題点については解消されていなかった。
【先行技術文献】
【特許文献】
【０００８】
【特許文献１】特開２００３−１２６０３５号公報
【発明の概要】
【発明が解決しようとする課題】
【０００９】
本発明は、以上のとおりの事情に鑑みてなされたものであり、簡便な構造でありながら、長尺片部の長縁部が接近又は離間して筒状体の肛門鏡が長尺方向に開閉される際に、蝶番部を配置した長縁部の対向間隙が肛門内の粘膜を挟み込むことのない安全性の高い新規の肛門鏡を提供することを課題としている。
【課題を解決するための手段】
【００１０】
本発明の肛門鏡は、上記のとおりの課題を解決するために、断面が弧状の一対の長尺片部が各々凹面部において対向配置され、一方の長縁部において相互に蝶番部を介して連結され、該蝶番部によって対向する長尺片部の他方の長縁部が接近または離間が可能とされているとともに、
各々の長尺片部は、長尺方向の先端に向かって先細りとされ、前記長縁部が接近する時には、対向する長尺片部によって前記先端部が略閉止状態となり、長尺方向の他方の端部には、前記の接近または離間を自在に操作可能とするハンドル部が設けられている肛門鏡であって、
前記蝶番部では、断面Ｈ字状の溝部を有し、相互に連結される長尺片部の対向する長縁部の全長にわたる長尺の樹脂製蝶番が配設され、該蝶番の断面Ｈ字状の溝部において前記長縁部が接合されていることを特徴としている。
【００１１】
また、本発明の肛門鏡においては、樹脂製蝶番は、シリコン樹脂製であることが好ましく考慮される。
【００１２】
さらにまた、本発明の肛門鏡においては、接合は、接着剤による接着であることが好ましく考慮される。
【発明の効果】
【００１３】
本発明によれば、簡便な構造でありながら、長尺片部の長縁部が接近又は離間して筒状体の肛門鏡が長尺方向に開閉される際に、蝶番部を配置した長縁部の対向間隙が肛門内の粘膜を挟み込むことのない安全性の高い新規の肛門鏡を実現することができる。
【図面の簡単な説明】
【００１４】
【図１】本発明の肛門鏡の概略斜視図である。
【図２】（ａ）（ｂ）は、図１における矢印Ａ方向から見た本発明の肛門鏡の要部断面図である。（ａ）は、対向する長尺片部の一方の外縁部の略閉止状態における断面図を示しており、（ｂ）は、対向する長尺片部の一方の外縁部の略開放状態における断面図を示している。
【図３】本発明の肛門鏡の対向する長尺片部の一方の外縁部の略開放状態における平面図である。
【図４】本発明の肛門鏡における蝶番部の形状を示した概略斜視図である。
【図５】本発明の肛門鏡における蝶番部の変形例を示した概略斜視図である。
【図６】本発明の肛門鏡における蝶番部の別の変形例を示した概略斜視図である。
【図７】従来の肛門鏡の概略斜視図である。
【図８】従来の肛門鏡の対向する長尺片部の一方の外縁部の略開放状態における平面図である。
【発明を実施するための形態】
【００１５】
以下に図面にもとづいて、本発明の肛門鏡について詳細に説明する。
【００１６】
図１は、本発明の肛門鏡の概略斜視図である。
【００１７】
図１に示すように、本発明の肛門鏡１は、断面が弧状の一対の長尺片部２が各々凹面部３において対向配置され、一方の長縁部４ａにおいて相互に蝶番部５を介して連結され、該蝶番部５によって対向する長尺片部２の他方の長縁部４ｂが接近または離間が可能とされている。また、本発明の肛門鏡１では、各々の長尺片部２は、長尺方向の先端部２ａに向かって先細りとされ、長縁部４ｂが接近する時には、対向する長尺片部２によって先端部２ａが略閉止状態となり、長尺方向の他方の端部２ｂには、前記の接近または離間を自在に操作可能とするハンドル部６が設けられている。
【００１８】
このような構造を具備する肛門鏡１においては、各々の長尺片部２の先端部２ａが丸みを帯びており、図１の状態の略閉止状態の長尺片部２を先端部２ａより患者の肛門にスムーズに挿入することができ、しかも挿入後に図１の状態のハンドル部６を図中の矢印αの方向へ操作することによって、長縁部４ｂを離間させて、対向する長尺片部２の長縁部４ｂを略開放状態とし、患者の肛門内部の観察を容易とすることができる。
【００１９】
そしてまた、本発明の肛門鏡１では、図２（ａ）にも示すように、蝶番部５は、断面Ｈ字状の溝部５ａを有し、その断面Ｈ字状の溝部５ａにおいて長縁部４ａが接合されていることを特徴としている。
【００２０】
そして、図２（ｂ）に示すように、本発明の肛門鏡１においては、長尺片部２の一方の長縁部４ａを支点として、長尺片部２の長縁部４ｂが接近又は離間可能とされている。長尺片部２の一方の端部２ｂから延設された一対のハンドル部６を図中の矢印α方向へ近接操作することにより、長尺片部２の長縁部４ｂが左右に広がり、長尺片部２を略開放状態とすることができる。
【００２１】
この図２（ｂ）の状態を平面図として、図３に示すように、蝶番部５は、相互に連結される長尺片部２の長縁部４ａの全長にわたる長尺の樹脂製蝶番を有している。この長尺の樹脂製蝶番の断面Ｈ字状の溝部５ａにおいて、図２（ａ）（ｂ）のように長尺片部２の長縁部４ａが接合されている。
【００２２】
このような肛門鏡１を構成する長尺片部２およびハンドル部６の材質としては、例えば、鋼材、プラスチック等が例示される。肛門鏡１が鋼材から構成されている場合、オートクレーブ等の高温高圧条件下での滅菌が可能な装置を使用して、使用後の肛門鏡１を滅菌し、再利用することができる。一方、肛門鏡１がプラスチックから構成されている場合、ディスポーザブル、すなわち使い捨ての肛門鏡として利用することができる。経済性等を考慮すると、肛門鏡１を構成する材質としては、鋼材を用いることが好ましい。
【００２３】
長尺片部２の長尺方向の長さとしては、例えば、５ｃｍ〜１０ｃｍの範囲が好ましく例示される。
【００２４】
また、長尺片部２は、断面が弧状であるが、一対の長尺片部が凹面部３において対向配置された際に、断面形状がレモン型であってもよいし、楕円形あるいは真円形であってもよい。凹面部３の断面形状は、上記の断面形状を二等分した弧状であることが好ましく考慮される。
【００２５】
蝶番部５は、図２（ａ）（ｂ）そして図４にも示すように、樹脂製蝶番に断面Ｈ字状の溝部５ａを有しており、相互に連結される長尺片部２の長縁部４ａの全長にわたる長尺のものからなる。このような樹脂製蝶番は、全長にわたって均等な幅を有するものであってもよいし、長尺片部２の先端部２ａに近づくにつれて、幅が狭くなる形状であってもよい。
【００２６】
樹脂製蝶番に用いることができる樹脂としては、例えば、シリコン樹脂、ウレタン樹脂、アクリル樹脂等が例示されるが、中でも、生体適合性等の観点から医療用のシリコン樹脂製であることが好ましく考慮される。
【００２７】
蝶番部５として、樹脂製蝶番を用いることにより、長尺片部２の開閉時に蝶番部５が図２（ａ）（ｂ）のように弾性変形して長尺片部２の長縁部４ａを支持することができる。また、蝶番部５が弾性変形することにより、蝶番部５を配置した長縁部４ａの対向間隙に患者の肛門内の粘膜を挟み込むことが未然に防がれる。
【００２８】
蝶番部５の形状は、断面Ｈ字状の溝部５ａを備えている限り特に制限されることはない。
【００２９】
例えば、図４に示すように、蝶番部５の短手方向の長さは、上面と下面とで同一であってもよいし、図５に示すように蝶番部５１の上面の方が下面よりも短くてもよい。図５に示した蝶番部５１の変形例では、上面の方が下面よりも短いことにより、蝶番部５１の上面が長尺片部２の開閉時に干渉することがなく、よりスムーズな開閉が可能となる。
【００３０】
また、図４に示すように、蝶番部５の厚みは、上面と下面とで同一であってもよいし、図６に示すように、蝶番部５２の上面の方が下面よりも薄くてもよい。図６に示した蝶番部５２の変形例では、上面の方が下面よりも薄いことにより、蝶番部５２の上面が長尺片部２の開閉時に干渉することがなく、よりスムーズな開閉が可能となる。
【００３１】
このように、蝶番部５、５１、５２が断面Ｈ字状であることにより、長尺片部２の一方の長縁部４ａを蝶番部５の上面および下面によって被覆することができる。したがって、長尺片部２の開閉時に、蝶番部５を配置した長縁部４ａの対向間隙に患者の肛門内の粘膜を挟み込むことが未然に防がれる。
【００３２】
このような蝶番部５においては、長尺の樹脂製蝶番の断面Ｈ字状の溝部５ａにおいて、長縁部４ａが接合されている。この接合は、インサート樹脂成形によってもよいが、接着剤による接着であることがより好ましく考慮される。すなわち、長尺の樹脂製蝶番の断面Ｈ字状の溝部５ａに、長尺片部２の長縁部４ａが挿入され、接着剤を用いて樹脂製蝶番と長尺片部２の長縁部４ａが接着固定される。
【００３３】
接着剤としては、肛門内の粘膜組織に炎症等の副作用を引き起こさない限り、特に制限されることはないが、医療用の接着剤を用いることが好ましく考慮される。医療用の接着剤としては、例えば、アロンアルファ（医療用）、シリコーン樹脂系接着剤、ウレタン樹脂系接着剤等が例示される。特に、医療用シリコーン樹脂系接着剤は、人体への毒性も低いため、本発明の肛門鏡１の樹脂製蝶番と長尺片部２の長縁部４ａの接着に好適に使用することができる。
【００３４】
本発明の肛門鏡は、以上の実施形態によって限定されるものではない。長尺片部、ハンドル部等の構成の細部は様々に可能である。
【符号の説明】
【００３５】
１  肛門鏡
２  長尺片部
２ａ  先端部
２ｂ  他方の端部
３  凹面部
４ａ、４ｂ  長縁部
５、５１、５２  蝶番部
５ａ  溝部
６  ハンドル部
【図１】
2017086547.tif 000003
【図２】
2017086547.tif 000004
【図３】
2017086547.tif 000005
【図４】
2017086547.tif 000006
【図５】
2017086547.tif 000007
【図６】
2017086547.tif 000008
【図７】
2017086547.tif 000009
【図８】
2017086547.tif 000010